(57)【要約】【課題】従来の測定システムにおいては、生体についての正確な情報を取得することが困難であるという課題があった。【解決手段】生体内または外に配置される測定装置１０と、生体の事象に関する情報を記録する情報端末２０とを具備する測定システムであって、測定装置１０は、測定の対象となる物理量を受け付け、受け付けた物理量に対応した信号である検知信号を取得するセンサー部１０１と、検知信号を出力する検知信号出力部１０２とを具備し、情報端末２０は、生体の事象に関する情報である事象情報の入力を受け付ける事象情報受付部２０１と、検知信号を受け付ける検知信号受付部２０２と、検知信号と事象情報とを蓄積する蓄積部２０３とを具備する。【選択図】図１
2007152037.tif 000002
【特許請求の範囲】
【請求項１】
生体内または外に配置される測定装置と、生体の事象に関する情報を記録する情報端末とを具備する測定システムであって、
前記測定装置は、
測定の対象となる物理量を受け付け、受け付けた物理量に対応した信号である検知信号を取得するセンサー部と、
前記検知信号を出力する検知信号出力部とを具備し、
前記情報端末は、
生体の事象に関する情報である事象情報の入力を受け付ける事象情報受付部と、
前記検知信号を受け付ける検知信号受付部と、
前記検知信号と前記事象情報とを蓄積する蓄積部とを具備する測定システム。
【請求項２】
前記情報端末は、
前記蓄積部が蓄積した検知信号と事象情報とを出力する出力部をさらに具備する請求項１記載の測定システム。
【請求項３】
前記測定装置の前記検知信号出力部は、前記検知信号を無線により送信し、
前記情報端末の検知信号受付部は、前記検知信号を無線により受信する請求項１または請求項２いずれか記載の測定システム。
【請求項４】
前記蓄積部は、着脱可能な記録媒体に、前記検知信号と事象情報とを蓄積する請求項１から請求項３いずれか記載の測定システム。
【請求項５】
生体内または外に配置される測定装置と、情報処理装置と、生体の事象に関する情報を記録する情報端末とを具備する測定システムであって、
前記測定装置は、
測定の対象となる物理量を受け付け、受け付けた物理量に対応した信号である検知信号を取得するセンサー部と、
前記検知信号を出力する検知信号出力部とを具備し、
前記情報端末は、
生体の事象に関する情報である事象情報の入力を受け付ける情報受付部と、
前記受け付けた事象情報を出力する事象情報出力部とを具備し、
前記情報処理装置は、
前記検知信号を受け付ける検知信号受付部と、
前記事象情報を受け付ける事象情報受付部と、
前記受け付けた検知信号と、事象情報とを蓄積する蓄積部とを具備する測定システム。
【請求項６】
前記測定装置の検知信号出力部は、前記検知信号を無線により送信し、
前記情報端末の情報受付部は、前記検知信号を無線により受信する請求項５記載の測定システム。
【請求項７】
前記情報端末の事象情報出力部は、前記事象情報を無線により送信し、
前記情報処理装置の事象情報受付部は、前記事象情報を無線により受信する請求項５または請求項６いずれか記載の測定システム。
【請求項８】
前記情報端末は、生体の事象に対応した１以上のボタンを有し、
前記情報受付部は、前記ボタンの指示の受け付けに応じた前記事象情報を受け付ける請求項１から請求項７いずれか記載の測定システム。
【請求項９】
前記センサー部は、
測定の対象となる物理量を受け付ける受付手段と、
当該受付手段が受け付けた物理量に対応した信号である検知信号を取得する信号取得手段とをさらに具備し、
前記測定装置は、
少なくとも、前記センサー部の信号取得手段と前記検知信号出力部とを密封する容器をさらに具備する請求項１から請求項８いずれか記載の測定システム。
【請求項１０】
前記測定装置は、膀胱内に配置されて膀胱内圧を測定し
前記情報端末は、生体の排尿に関連する事象情報の入力を受け付ける請求項１から請求項９いずれか記載の測定システム。
【請求項１１】
前記情報処理装置は、前記蓄積部が蓄積した検知信号および事象情報の少なくとも一方に対して、所定の処理を行なう処理部をさらに具備する請求項５から請求項７いずれか記載の測定システム。
【請求項１２】
請求項１から請求項１１いずれか記載の測定システムを構成する情報端末。
【請求項１３】
コンピュータに、
生体の事象に関する情報である事象情報の入力を受け付ける事象情報受付ステップと、
生体内または外における測定の対象となる物理量に対応した信号である検知信号を受け付ける検知信号受付ステップと、
前記検知信号と事象情報とを蓄積する蓄積ステップとを実行させるためのプログラム。
【発明の詳細な説明】
【技術分野】
【０００１】
本発明は、生体の情報を測定する測定システム等に関するものである。
【背景技術】
【０００２】
従来の測定装置としては、生体、例えば人体内に、測定装置本体に接続されたセンサーやカテーテル等を挿入し、これらのセンサーやカテーテルを介して得られる情報を、測定装置本体において測定するものがあった（例えば、特許文献１参照）。
【０００３】
このような測定装置を用いた医学的、あるいは生物学的な検査や試験においては、この測定装置から生体内または外の情報を得るだけではなく、情報の測定中における人間の行動や、症状等を、日記やメモにより記録することが必要となることが多い。このような日記等を用いることで、測定装置からの情報と、生体の行動や症状等を比較することが可能となり、人間の行動や症状と、生体内または外の変化等との関連を調べたりすることができ、生体の状態が正常であるか否かの正確な診断等が可能となるからである。
【０００４】
例えば、人間の排尿障害の試験等を行なう場合、膀胱内にセンサー等を挿入して、膀胱内圧を、数十時間、測定するとともに、その測定中における被験者の尿意の有無等の自覚症状や、日常生活の主要な動作を、被験者に日記に記録させるようにし、試験終了後、センサーから得られた膀胱内圧の情報と、被験者の記録した日記とを比較することで、尿意を感じたときに、膀胱内圧がどのような変化を起こしているかを調べたりすることで、被験者の排尿障害の正確な症状を診断することが可能となる。
【特許文献１】特表２００５−５１１１１１号公報（第１５−１８頁、第１４−１９図等）
【発明の開示】
【発明が解決しようとする課題】
【０００５】
しかしながら、従来は、検査中の行動や症状等を、手書きで日記やメモに記録していたため、記録する作業は被験者にとって、非常に煩わしいものであった。このため、被験者が、記録を省略してしまったり、症状を自覚した直後に記録を行なわずに、後で何件かの記録をまとめて記入しようとする結果、記録する内容の詳細、例えば時間等、を忘れてしまったりして、正確な記録が得られず、その結果として正確な検査結果等が得られない、という課題があった。
【０００６】
また、記録を手書きで入力する必要があるため、記入時には、記入用の日記等に加えて、筆記用具や、記入用の机等の台を用意する必要があり、例えば電車の中等で手軽に症状等を記録することが困難であった。
【０００７】
また、このような記入された日記等を、測定装置の測定結果と比較したり分析したりする際には、日記に記入された内容を、データに変換する必要があり、非常に手間と時間がかかるという課題があった。
また、入力データと生体から得た情報との対応付けを容易にとることが難しく、データの処理に時間と労力がかかるという課題があった。
【課題を解決するための手段】
【０００８】
本発明の測定システムは、生体内または外に配置される測定装置と、生体の事象に関する情報を記録する情報端末とを具備する測定システムであって、前記測定装置は、測定の対象となる物理量を受け付け、受け付けた物理量に対応した信号である検知信号を取得するセンサー部と、前記検知信号を出力する検知信号出力部とを具備し、前記情報端末は、生体の事象に関する情報である事象情報の入力を受け付ける事象情報受付部と、前記検知信号を受け付ける検知信号受付部と、前記検知信号と前記事象情報とを蓄積する蓄積部とを具備する測定システムである。
【０００９】
かかる構成により、例えば被験者等が、行動や症状等の事象情報の入力を手軽にかつ容易に行なえるようにして、入力ミスや入力忘れ等をなくすことができ、生体についてのより正確な情報を取得することが可能となる。また、事象情報が、データとして出力されるため、情報処理装置等において、処理を行なう際に、再度事象情報をデータ入力したりする手間をなくすことができる。また、情報端末を測定装置とともに移動させることにより、測定装置の位置を自由に変更可能となる。このため、例えば、被験者は、情報端末を所持していれば、体内に測定装置を配置した状態で、被験者は自由に場所を移動することが可能となり、測定装置や情報端末により拘束されない。この結果、日常生活とほぼ同じ生活を送っている無拘束の状態での被験者の生体内または外の検知信号や事象情報を取得することができ、ストレス等の影響の少ない、より正確な情報を得ることができる。
【００１０】
また、本発明の測定システムは、前記測定システムにおいて、前記情報端末は、前記蓄積部が蓄積した検知信号と事象情報とを出力する出力部をさらに具備する測定システムである。
【００１１】
かかる構成により、検知信号と事象情報とを容易に取得することができ、検知信号や事象情報に対して所望の処理を行なう際の処理手順や処理にかかる手間を簡略化することができる。
【００１２】
また、本発明の測定システムは、前記測定システムにおいて、前記測定装置の検知信号出力部は、前記検知信号を無線により送信し、前記情報端末の検知信号受付部は、前記検知信号を無線により受信する測定システムである。
【００１３】
かかる構成により、測定装置と情報端末との位置関係を、検知信号を無線で送信可能な範囲で自由に変更することが可能となる。これにより、被験者を無拘束な状態としたままで、検査を行なうことができ、被験者にストレスを与えたりせずに、日常により近い状態でのデータを取得することができる。
【００１４】
また、本発明の測定システムは、前記測定システムにおいて、前記蓄積部は、着脱可能な記録媒体に、前記検知信号と事象情報とを蓄積する測定システムである。
【００１５】
かかる構成により、測定システムにおいて、検知信号と事象情報と無線や有線等で送受信するための構成を省略することができる。
【００１６】
また、本発明の測定システムは、前記測定システムにおいて、生体内または外に配置される測定装置と、情報処理装置と、生体の事象に関する情報を記録する情報端末とを具備する測定システムであって、前記測定装置は、測定の対象となる物理量を受け付け、受け付けた物理量に対応した信号である検知信号を取得するセンサー部と、前記検知信号を出力する検知信号出力部とを具備し、前記情報端末は、生体の事象に関する情報である事象情報の入力を受け付ける情報受付部と、前記受け付けた事象情報を出力する事象情報出力部とを具備し、前記情報処理装置は、前記検知信号を受け付ける検知信号受付部と、前記事象情報を受け付ける事象情報受付部と、前記受け付けた検知信号と、事象情報とを蓄積する蓄積部とを具備する測定システムである。
【００１７】
かかる構成により、例えば被験者等が、行動や症状等の事象情報の入力を手軽にかつ容易に行なえるようにして、入力ミスや入力忘れ等をなくすことができ、生体についてのより正確な情報を取得することが可能となる。また、事象情報が、データとして出力されるため、情報処理装置において、処理を行なう際に、再度事象情報をデータ入力したりする手間をなくすことができる。また、情報処理装置に、検知信号と事象情報とが集められるため、一旦測定装置や情報端末等に蓄積された検知信号や事象情報を、情報処理装置において処理を行なう際に集める必要がなく、処理手順や処理にかかる手間を簡略化することができる。
【００１８】
また、本発明の測定システムは、前記測定システムにおいて、前記測定装置の検知信号出力部は、前記検知信号を無線により送信し、前記情報処理装置の事情情報受付部は、前記事象情報を無線により受信する測定システムである。
【００１９】
かかる構成により、測定装置と情報処理装置との位置関係を、検知信号を無線で送信可能な範囲で自由に変更することが可能となる。
【００２０】
また、本発明の測定システムは、前記測定システムにおいて、前記情報端末の事象情報出力部は、前記事象情報を無線により送信し、前記情報処理装置の事象情報受付部は、前記事象情報を無線により受信する測定システムである。
【００２１】
かかる構成により、情報端末と情報処理装置との位置関係を、事象情報を無線で送信可能な範囲で自由に変更することが可能となる。
【００２２】
また、本発明の測定システムは、前記測定システムにおいて、前記情報端末は、生体の事象に対応した１以上のボタンを有し、前記情報受付部は、前記ボタンの指示の受付に応じた前記事象情報を受け付ける測定システムである。
【００２３】
かかる構成により、入力したい項目に対応したボタンを押すことにより事象情報を入力できるようにしたことにより、入力のための熟練や、ペンで文字を書くといった複雑な動作等が不要となり、容易に事象情報の入力が可能となる。
【００２４】
また、本発明の測定システムは、前記測定システムにおいて、前記センサー部は、測定の対象となる物理量を受け付ける受付手段と、当該受付手段が受け付けた物理量に対応した信号である検知信号を取得する信号取得手段とをさらに具備し、前記測定装置は、少なくとも、前記センサー部の信号取得手段と前記検知信号出力部とを密封する容器をさらに具備する測定システムである。
【００２５】
かかる構成により、受付手段以外の部分が、外部の環境に影響を受けにくくして、より正確な検知信号を取得できる。
【００２６】
また、本発明の測定システムは、前記測定システムにおいて、前記測定装置は、膀胱内に配置されて膀胱内圧を測定し、前記情報端末は、生体の排尿に関連する事象情報の入力を受け付ける測定システムである。
【００２７】
かかる構成により、排尿の障害を高精度に診断することが可能となる。
【発明の効果】
【００２８】
本発明による測定システム等によれば、生体についてのより正確な情報を取得することが可能となる。
【発明を実施するための最良の形態】
【００２９】
以下、測定システム等の実施形態について図面を参照して説明する。なお、実施の形態において同じ符号を付した構成要素は同様の動作を行うので、再度の説明を省略する場合がある。
【００３０】
（実施の形態１）
図１は、本実施の形態における測定システムのブロック図である。
測定システムは、測定装置１０、情報端末２０、および情報処理装置３０を具備する。測定装置１０と情報端末２０との間、情報端末２０と情報処理装置３０との間においては、無線や有線の通信による情報の送信や受信が可能である。各装置は、例えば、ブルートゥース（登録商標）等の無線通信や、ＬＡＮ等で相互に接続されている。各装置は、ＵＳＢやＩＥＥＥ１３９４等のバスで接続されてもよいし、光ファイバ等で接続されてもよい。情報の送受信の手段は、通信手段でも、放送手段等でも良い。なお、測定装置１０と情報端末２０との間、情報端末２０と情報処理装置３０との間において、通信による情報の送受信の代わりに、着脱可能なメモリ等の記録媒体を介した情報の受け渡しが可能であってもよい。なお、ここでは、説明を簡略化するために、測定装置１０が１つである場合について説明するが、測定装置１０は複数であっても良い。
【００３１】
測定装置１０は、センサー部１０１、検知信号出力部１０２、電源供給部１０３、受信部１０４、制御部１０５および蓄積部１０６を具備する。センサー部１０１は、さらに受付手段１０１１、信号取得手段１０１２を具備する。
【００３２】
センサー部１０１は、測定の対象となる物理量を受け付け、受け付けた物理量に対応した信号である検知信号を取得する。「測定の対象となる物理量」とは、重量、湿度、圧力、加速度、音、光、温度、ｐＨ、物質の濃度、流量、電流、電圧等であり、ここでは、特に生体内または外におけるこれらの物理量を指す。「物理量」とは、物理的な性質や状態を表現する量、例えば数値、である。ここでは、「物理量」は、例えば、圧力、加速度、音、光、温度、ｐＨ、物質の濃度、流量、電流、電圧等を表現する量である。センサー部１０１は、具体的には、受け付けた物理量を、電気信号に変換する。このセンサー部の測定の対象となる物理量がどのような物理量であるかは問わない。「取得」とは、受け付けた物理量を変換して信号を生成する処理も含む概念である。なお、上述したような圧力、加速度、流量等の物理量を検知信号に変換するセンサーは、それぞれ、圧力センサー、加速度センサー、流量センサー等として、通常、知られており、これらの基本的な構造は公知であるので、詳細な説明は省略する。
【００３３】
なお、ここでは、特に、センサー部１０１が受付手段１０１１および信号取得手段１０１２を具備する場合について、例に挙げて説明する。
【００３４】
受付手段１０１１は、測定の対象となる物理量を受け付ける。受付手段１０１１は、例えば、測定対象の物理量に応じて、形状や電気的な性質等の性質等が変化するものである。「物理量を受け付ける」とは、物理量の変化に応じて、受付手段１０１１が変形したりすることである。受付手段１０１１は、測定の際に必要であれば、生体や生体内に存在する物質等に、接する部分となる。受付手段１０１１は、例えば、圧力センサーや加速度センサーにおいては、ピエゾ抵抗を有する感圧ダイアフラムや、シリコン振動子等に相当する。
【００３５】
信号取得手段１０１２は、受付手段１０１１が受け付けた物理量に対応した信号である検知信号を取得する。具体的には、信号取得手段１０１２は、受付手段１０１１が受け付けた物理量を、電気信号である検知信号に変換する。例えば、信号取得手段１０１２は、受付手段１０１１の形状や性質の変化に対応した電気信号を取得する。例えば、受付手段１０１１がピエゾ抵抗を有する感圧ダイアフラムである場合、ダイアフラムへの圧力によってピエゾ抵抗に応力が働くことにより変化するピエゾ抵抗の抵抗値変化を、信号取得手段１０１２は、電気信号として取り出す。また、信号取得手段１０１２は、検知信号を増幅するアンプ等の増幅手段等を有していても良い。
【００３６】
検知信号出力部１０２は、検知信号、具体的にはセンサー部１０１が取得した検知信号を出力する。検知信号出力部１０２は、具体的には、検知信号を、ネットワークや、バス等を介して、情報端末２０に送信する。検知信号出力部１０２と、情報端末２０との接続は、有線接続であっても無線接続であってもよいが、有線接続の場合、測定装置１０を生体内または外に配置すると、結果として生体と情報端末２０とが配線や光ファイバ等で接続されることとなり、生体にストレス等がかかり、正確な測定結果が得られなくなる恐れがあることから、無線接続の方が好適である。また、測定装置１０内に図示しない時計等の計時部を設けるようにし、検知信号出力部１０２が、検知信号とともに、検知信号を取得した時間の情報を、計時部等から取得して送信するようにしてもよい。信号出力部１０２は、検知信号をどのように外部に出力してもよい。例えば、信号取得手段１０１２が取得した検知信号をアナログ信号で送信しても良いし、検知信号をデジタル信号に変換して送信しても良い。また、検知信号を、パルス音等の音の信号や光の信号等に変換して出力しても良い。なお、信号出力部１０２は、検知信号をデジタル信号として送信するために、センサー部１０１が取得したアナログの検知信号を、デジタル信号に変換するＡＤ変換手段（図示せず）を備えていても良い。なお、ＡＤ変換手段は、上述したセンサー部１０１が有していても良い。信号出力部１０２は、検知信号を、例えば、所定の間隔、具体的には、一定の間隔あるいは不定期の間隔等で出力する。出力間隔等は、物理量の受け付けの精度や、物理量の受け付けに要する全時間、バッテリーの持続時間等から適宜決定し、設定しておく。信号出力部１０２は、例えば、出力デバイスのドライバーソフトと出力デバイス等で実現され得る。例えば、信号出力部１０２は、無線や有線の通信手段、具体的には、ＬＡＮ等の通信手段、ブルートゥース等の近距離無線通信手段、或いは音や光の出力手段等により実現される。また、信号出力部１０２は、無線や有線の放送手段により実現されてもよい。なお、信号出力部１０２は、検知信号を、測定装置１０内に設けられた着脱可能な不揮発性のメモリ等の記憶媒体（図示せず）に対して出力して、検知信号を記憶媒体に蓄積するようにしても良い。出力とは、音出力、光出力、外部の装置への送信、記憶媒体等への蓄積等を含む概念である。また、信号出力部１０２は、検知信号を無線により送信する際に利用するアンテナ等（図示せず）を有していても良い。信号出力部１０２は、例えばＬＳＩ（ｌａｒｇｅ  ｓｃａｌｅ  ｉｎｔｅｇｒａｔｉｏｎ）等の集積回路として実現可能である。
【００３７】
電源供給部１０３は、センサー部１０１内の信号取得手段１０１２と信号出力部１０２とに電源を供給する。さらに、測定装置１０内の他の制御部１０５や受信部１０４等の処理部等に電源を供給する。また、電源供給部１０３は、後述する制御部１０５からの指示等に基づいて、センサー部１０１や信号出力部１０２に供給する電源のオン、オフ等を切り替えられるようにしても良い。また、電源供給部１０３は、他の処理部に対する電源の供給の状況も切り替えられるようにしてもよい。また、電源供給部１０３は、制御部１０５からの指示以外の指示を受け付けることにより電源のオン、オフ等を行なうようにしても良い。例えば、電源供給部１０３に物理的に動作するスイッチを設け、このスイッチがオンされた場合に、電源供給部１０３は電源を供給するようにしても良い。なお、電源供給部１０３が電源のオンオフの制御を行なう構成を備えていない場合、センサー部１０１や信号出力部１０２が、制御部１０５からの指示により電源供給部１０３からの電源の供給の制御等が可能なスイッチを備えているようにしてもよい。測定装置１０が無線接続される場合、電源供給部１０３は、例えば電池や、電池及びスイッチング素子等により実現可能である。また、この電池は一次電池または二次電池のどちらでもよい。電池は、リチウム電池等、種類は問わない。ただし、電池は小型で、かつ電源の容量が大きいものであることが好ましい。また、測定装置１０が、電源を供給可能な外部の装置と有線接続されている場合、電源供給部１０３は、外部から有線により供給される電源を受け付けるための端子を備えた回路、例えば、電源を一時的に蓄積したり、変圧したりする回路等として実現可能である。なお、測定装置１０内の回路等の消費電力が十分に少ない場合、いわゆるパッシブ型のＲＦＩＤタグにおける電源供給を行なう構成を電源供給部１０３の構成として、外部から送信される電波から電源を取り出して、測定装置１０内の回路へ供給するようにしてもよい。なお、電波から電源を取り出すパッシブ型ＲＦＩＤタグの構成については、公知技術であるのでここでは説明を省略する。
【００３８】
受信部１０４は、外部から無線あるいは有線により送信される測定装置１０を制御する信号である制御信号を受信する。ここでは特に、情報端末２０から送信される制御信号を受信する。受信部１０４は、無線や有線の通信手段が好適であるが、放送を受信する手段でも実現可能である。受信部１０４は、例えば、ＬＡＮ等の通信手段、ブルートゥース（登録商標）等の近距離無線通信手段等により実現される。また、受信部１０４は、制御信号を受信する際に利用するアンテナ等を有していても良い。受信部１０４は、例えば、ＬＳＩ等の集積回路として実現可能である。また、受信部１０４と信号出力部１０２とを一つの集積回路等に集積してもよい。また、これらのアンテナ等を共用してもよい。なお、測定装置１０の動作を、測定装置１０の外部から制御する必要がない場合、この受信部１０４は省略してもよい。
【００３９】
制御部１０５は、受信部１０４が受信した制御信号に基づいて、測定装置１０の制御を行なう。具体的には、制御部１０５は、測定装置１０内のセンサー部１０１や、信号出力部１０２や、電源供給部１０３や、受信部１０４、蓄積部１０６を制御するための指示を、制御信号に基づいて出力する。例えば、受信部１０４が測定装置１０を起動するための制御信号を受信した場合、制御部１０５は、電源供給部１０３に対して、センサー部１０１や、信号出力部１０２に電源を供給する指示を出力する。あるいは、受信部１０４が蓄積部１０６に蓄積された検知信号の出力を指示する制御信号を受信した場合、制御部１０５は、検知信号出力部１０２に対して、蓄積部１０６に蓄積された検知信号を出力させる指示を出力する。また、例えば、受信部１０４が測定装置１０の出力する検知信号に対してキャリブレーションを行なう制御信号を受信した場合、制御部１０５は、信号取得手段１０１２の出力する検知信号のキャリブレーション、例えば、０点合わせや、制御信号に含まれる温度情報等に基づく信号取得手段１０１２が出力する検知信号の補正等、を行なってもよい。また、例えば、受信部１０４が、測定装置１０が出力する検知信号のリセットを行なう制御信号を受信した場合、制御部１０５は、信号取得手段１０１２の出力する検知信号を、工場出荷時等の初期状態に戻したり、信号出力部１０２の出力開始時間をリセットしたりしても良い。また、受信部１０４の受信した制御信号に基づき、電源供給部１０３の電源の残量を出力させるようにしても良い。なお、センサー等が出力する検知信号のキャリブレーションやリセット等を行なう構成や方法等は、公知技術であるので、詳細な説明は省略する。制御部１０５は、通常、ＭＰＵやメモリ等から実現され得る。制御部１０５の処理手順は、通常、ソフトウェアで実現され、当該ソフトウェアはＲＯＭ等の記録媒体に記録されている。但し、ハードウェア（専用回路）で実現しても良い。なお、測定装置１０の動作を制御する必要がない場合、この受信部１０４は省略してもよい。
【００４０】
蓄積部１０６は、検知信号を一時的に蓄積して、蓄積された検知信号は、制御部１０５の指示により、検知信号出力部１０２より出力される。これにより検知信号が、常時出力されるより、省電力化が可能となり、測定装置１０に組み込まれている電源供給部１０３の保持電力を小さくすることができ、電源供給部１０３の小型化を図ることができ、この結果、測定装置１０の小型化を図ることができる。蓄積部１０６は、検知信号等を、図示しないメモリやハードディスク等の、記憶媒体等に記憶する。蓄積部１０６自身が、これらの記憶媒体を有していてもいなくてもよい。また、記憶媒体は、不揮発性の記憶媒体であっても良いし、揮発性の記憶媒体であっても良い。また、記憶媒体は、着脱可能なフラッシュメモリ等の記憶媒体であってもよい。
【００４１】
情報端末２０は、事象情報受付部２０１、検知信号受付部２０２、蓄積部２０３、計時部２０４、出力部２０５、制御指示受付部２０６、送信部２０７および電源供給部２０８を具備する。
【００４２】
情報端末２０は、例えば、携帯が可能な重量や、サイズであることが好ましく、具体的には、手のひらに乗せられることが可能な重量やサイズを有するものであることが好ましい。例えば、ＰＤＡ（ｐｅｒｓｏｎａｌ  ｄｉｇｉｔａｌ  ａｓｓｉｓｔａｎｔ）や、携帯電話のような片手で持って、操作が可能な重量やサイズを有することが好ましい。あるいは、ＰＤＡや携帯電話内に、情報端末２０の構造を組み込むようにしてもよい。そして、ＰＤＡや携帯電話等と、情報端末２０との機能を適宜切り替えて利用できるようにしてもよい。また、この場合、ＰＤＡや携帯電話等と情報端末２０とで共用可能な構造、例えば、プロセッサーや、通信手段等を共用するようにしてもよい。
【００４３】
事象情報受付部２０１は、生体の事象に関する情報である事象情報の入力を受け付ける。「生体の事象に関する情報」とは、具体的には、生体の行動や、生体の症状や、生体の状態に影響を与える環境等を示す情報である。たとえば、生体が人間である場合、「生体の事象に関する情報」は、「起床」、「就寝」、「歩く」、「座る」、「走る」、「食べる」、「排尿」、等の人間の行動の情報や、「空腹感がある」、「痛い」、「尿意がある」、「失禁」、等の自覚症状や、「体温」等の人間の状態や、「気温」、「湿度」、「天気」、「居場所」等の環境の情報である。事象情報受付部２０１の受け付ける情報の入力手段は、ボタンやキーボードやマウスやメニュー画面によるもの等、何でも良い。ただし、予め入力する事象情報の項目に応じたボタン、例えば、「尿意がしました」というボタン等、を用意し、このボタンが押されることで、事象情報受付部２０１がボタンの指示の受け付けに応じた事象情報を受け付けるようにすることが、ユーザが操作を覚える負担を軽減できることから好ましい。ボタンの指示の受付とは、例えば、ボタンが押下されることや、ボタンを一定時間に触れることや、ボタンが選択されること等である。このボタンの指示の受け付けにより、例えば、「尿意がしました」という事象情報、例えば事象に対応したイベント、を受け付ける。このボタンは、機械的なスイッチを用いたボタンや、タッチパネルを用いたボタン等、どのようなボタンであってもよい。例えば、情報端末２０を、携帯電話やＰＤＡ等に組み込み、携帯電話やＰＤＡ等と情報端末２０とを切り替えて使用できるようにする場合、事象情報受付部２０１は、ＰＤＡのタッチパネルや、携帯電話のダイヤルキー等のボタンを利用可能である。事象情報受付部２０１は、ボタンやキーボード等の入力手段のデバイスドライバーや、メニュー画面の制御ソフトウェア等で実現され得る。
【００４４】
検知信号受付部２０２は、検知信号を受け付ける。具体的には、測定装置１０から無線あるいは有線の通信により送信される検知信号を受信する。また、測定装置１０が検知信号を、着脱可能なメモリ等の記憶媒体に蓄積している場合、測定装置１０から取りはずされたメモリ等の記憶媒体に記憶されている検知信号を、検知信号受付部２０２は、メモリ専用のリーダー等を用いて読み出してもよい。検知信号受付部２０２は、無線の通信手段が好適であるが、放送を受信する手段でも実現可能である。なお、検知信号受付部２０２は、検知信号を受信する際に利用するアンテナ等を有していても良い。また、検知信号受付部２０２は、メモリ専用のリーダ等の検知信号を受け付けるデバイス、またはこれらのデバイスとそのドライバーとの組み合わせ等により実現可能である。
【００４５】
蓄積部２０３は、事象情報と検知信号とを蓄積する。具体的には、蓄積部２０３は、事象情報受付部２０１が受け付けた事象情報、および検知信号受付部２０２が受け付けた検知信号を蓄積する。また、ここでは、例として、検知信号受付部２０２が検知信号を受け付けた時間の情報、例えば時刻、および事象情報受付部２０１が事象情報を受け付けた時間の情報、例えば時刻、を、蓄積部２０３が後述する計時部２０４等から取得し、蓄積部２０３が検知信号および事象情報とともに蓄積するものとする。なお、検知信号が一定のパターンで、測定装置１０から送信されてくる場合、各検知信号が取得された時間は、検知信号間の時間間隔と、検知信号数のカウント結果とを用いて、各検知信号が取得された時間を算出することが可能である。この場合、蓄積部２０３は、例えば、事象情報を受け付けたタイミングとほぼ同じタイミングで受信した検知信号を、当該事象情報と関連付けて蓄積すればよい。このようにすることで、検知信号が取得された時間から、事象情報を受け付けた時間を取得することが可能である。また、例えば、測定装置１０が、計時部２０４と同様の計時部（図示せず）等を有し、この計時部等から取得した各検知信号を取得した時間を示す情報を、各検知信号に付加して送信してくる場合、この時間を示す情報も、蓄積部２０３が蓄積してもよい。この場合においても、事象情報を受け付けたタイミングとほぼ同じタイミングで受信した検知信号を、当該事象情報と関連付けて蓄積することで、各検知信号が取得された時間の情報から、事象情報を受け付けた時間を取得することが可能である。蓄積部２０３は、事象情報と検知信号とを、図示しないメモリやハードディスク等の、記憶媒体等に記憶する。蓄積部２０３自身が、これらの記憶媒体を有していてもいなくてもよい。また、記憶媒体は、不揮発性の記憶媒体であっても良いし、揮発性の記憶媒体であっても良い。また、記憶媒体は、着脱可能なフラッシュメモリ等の記憶媒体であってもよい。なお、ここで述べる「蓄積」とは、信号や情報の送信や受信等を行なう際の、メモリ等の記憶媒体に対する、データの一時的な記憶も含む概念である。
【００４６】
計時部２０４は、時間を計時する。例えば、計時部２０４は、時刻を示す時計等であってもよいし、タイマーであっても良い。また、所定の周期のパルス等をカウントして、カウント結果を時間の情報とするカウンター等であってもよい。なお、事象情報を受け付けた時間や、検知信号が検知された時間等が、検知信号等に基づいて取得可能であれば、計時部２０４は省略可能である。
【００４７】
出力部２０５は、蓄積部２０３が蓄積した検知信号、および事象情報を出力する。出力部２０５は、例えば、事象情報および検知信号を、ネットワークや、バス等を介して、有線や無線の通信により情報処理装置３０に送信してもよい。出力部２０５が事象情報および検知信号を出力するタイミングやトリガー等は問わない。例えば、出力部２０５は、制御指示受付部２０６や、図示しない受付部等から事象情報および検知信号を出力する指示を受け付けた場合に、事象情報および検知信号を出力してもよい。また、情報端末２０と情報処理装置３０とがＵＳＢ（ｕｎｉｖｅｒｓａｌ  ｓｅｒｉａｌ  ｂｕｓ）等のバスにより接続されことをトリガーとして、出力部２０５が事象情報および検知信号を出力してもよい。出力部２０５は、ディスプレイや、プリンター、無線や有線の通信手段等の出力デバイスを含むと考えても含まないと考えても良い。出力部２０５は、出力デバイスのドライバーソフトまたは、出力デバイスのドライバーソフトと出力デバイス等で実現され得る。出力とは、ディスプレイへの表示、プリンタへの印字、外部の装置への送信等を含む概念である。出力部２０５は、事象情報や検知信号を無線により送信する際に利用するアンテナ等（図示せず）を有していても良い。
【００４８】
制御指示受付部２０６は、測定装置１０を制御する指示である制御指示を受け付ける。測定装置１０を制御する指示は、例えば、測定装置１０の蓄積部１０６に一時的に蓄積された検知信号の出力指示や、電源をオン、オフする指示や、リセットを行なう指示、キャリブレーションを行なう指示、電池残量を表示させる指示等である。制御指示の入力手段は、テンキーやキーボードやマウスやメニュー画面によるもの等、何でも良い。また、制御指示受付部２０６は、出力部２０５の出力を制御する指示を受け付けても良い。制御指示受付部２０６は、テンキーやキーボード等の入力手段のデバイスドライバーや、メニュー画面の制御ソフトウェア等で実現され得る。
【００４９】
送信部２０７は、制御指示受付部２０６が受け付けた制御指示に基づいて測定装置１０を制御する信号である制御信号を送信する。送信部２０７は、例えば、制御指示に対応した制御信号をメモリ等に予め格納しており、制御指示受付部２０６が受け付けた制御指示に対応した制御信号をこのメモリ等から取得し、測定装置１０に送信する。制御信号は、例えば、測定装置１０に対するコマンドである。送信部２０７は、無線や有線の通信手段が好適であるが、放送を受信する手段でも実現可能である。送信部２０７は、例えば、ＬＡＮ等の通信手段、ブルートゥース等の近距離無線通信手段等により実現される。また、制御信号送信部２０７は、制御信号を送信する際に利用するアンテナ等を有していても良い。
【００５０】
電源供給部２０８は、情報端末２０内の処理部、例えば、事象情報受付部２０１、検知信号受付部２０２、蓄積部２０３、計時部２０４、出力部２０５、制御指示受付部２０６、送信部２０７等に電源を供給する。電源供給部２０８は、例えば電池や、電池及び電源をオンオフするためのスイッチング素子等により実現可能である。また、この電池は充電可能なものであっても充電できないものであってもよい。電池は、リチウム電池等、種類は問わない。ただし、電池は小型で、かつ電源を供給する持続時間の長いものが好ましい。また、電源供給部２０８は、測定装置１０への有線または無線による電源供給が可能である。さらに、情報端末２０の外部の電源を供給可能な装置から電源を受け付け、この受け付けた電源を、情報端末２０内に供給してもよい。情報端末２０が外部の電源を供給可能な装置と有線接続されている場合、電源供給部２０８は、外部から有線により供給される電源を受け付けるための端子を備えた回路、例えば、電源を一時的に蓄積したり、変圧したりする回路等として実現可能である。
【００５１】
情報処理装置３０は、受付部３０１、処理部３０２、処理結果出力部３０３を具備する。
受付部３０１は、検知信号および事象情報を受け付ける。具体的には、情報端末２０が蓄積した検知信号および事象情報を受け付ける。例えば、受付部３０１は、情報端末２０から無線あるいは有線の通信手段を介して送信される検知信号および事象情報を受信する。また、測定装置１０が検知信号および事象情報を、着脱可能なメモリ等の記憶媒体に記憶している場合、測定装置１０から取りはずされたメモリ等の記憶媒体に記憶されている検知信号を、メモリ専用のリーダー等を用いて読み出してもよい。なお、受付部３０１は、検知信号および事象情報を同時に受け付ける必要はない。受付部３０１は、無線や有線の通信手段が好適であるが、放送を受信する手段でも実現可能である。なお、受付部３０１は、検知信号を受信する際に利用するアンテナ等を有していても良い。また、受付部３０１は、着脱可能なメモリのリーダー等のハードウェア、もしくは、このようなハードウェアとドライバーソフトとの組み合わせにより実現可能である。なお、メモリ専用のリーダー等の構成については、いわゆるメモリカードリーダ等の構成と同様であり、公知技術であるので、ここでは説明を省略する。
【００５２】
処理部３０２は、受付部３０１が受け付けた検知信号および事象情報に対して、所定の処理を行ない、処理結果を得る。所定の処理は、どのような処理であっても良い。例えば、所定の処理とは、検知信号および事象情報に対して、予め設定されている分析用のプログラムを実行させる処理でもよいし、検知信号および事象情報に基づいて、生体が異常であるか否かを判定する処理でも良い。また、所定の処理は、事象情報に基づいて、検知信号を補正する処理、例えば、被験者の動作や、環境の温度等に応じて検知信号を補正する処理等、でも良い。また、所定の処理は、検知信号に対して、例えば事象情報等に基づいて、補正やキャリブレーションを行なう処理でも良い。処理部３０２が行なう処理は、具体的には、受付部３０１が受け付けた検知信号および事象情報をグラフとして出力するための情報を構成する処理でもよい。あるいは、処理部３０２が行なう処理は、例えば、受付部３０１が受け付けた検知信号と事象情報とを比較して、所定の事象情報を受け付けた時点において、所定の閾値以上の値のパルスが出力されたか否かを判定し、出力された場合に、生体に異常があることを示す分析結果を出力する処理でもよい。また、処理部３０２が行なう処理は、例えば、受付部３０１が受け付けた検知信号と事象情報とを比較して、所定の閾値以上の値のパルスが出力された時点において、所定の事象情報を受け付けているか否かを判定し、受け付けていない場合、生体に異常があることを示す分析結果を出力する処理でも良い。処理部３０２は、通常、ＭＰＵやメモリ等から実現され得る。処理部３０２の処理手順は、通常、ソフトウェアで実現され、当該ソフトウェアはＲＯＭ等の記録媒体に記録されている。但し、ハードウェア（専用回路）で実現しても良い。
【００５３】
処理結果出力部３０３は、処理部３０２の処理結果を出力する。処理結果出力部３０３は、ディスプレイやプリンタ等の出力デバイスを含むと考えても含まないと考えても良い。処理結果出力部３０３は、出力デバイスのドライバーソフト、または出力デバイスのドライバーソフトと出力デバイス等で実現され得る。出力とは、ディスプレイへの表示、プリンタへの出力、外部の装置への送信等を含む概念である。
次に、測定装置１０の動作の一例について説明する。
【００５４】
測定装置１０の受信部１０４が、外部、ここでは情報端末２０からの、電源のオンを指示する制御信号を受信すると、この制御信号に基づいて制御部１０５が、測定装置１０の電源をオンとする制御を行なう。これにより、電源供給部１０３から、センサー部１０１や信号出力部１０２に電源が供給される。センサー部１０１に電源が供給されると、受付手段１０１１が受け付けた生体に関連する物理量を、信号取得手段１０１２が、所定のタイミングで電気信号に変換して検知信号を取得する。信号出力部１０２は、信号取得手段１０１２が取得した検知信号を順次情報端末２０に対して送信する。信号出力部１０２は、検知信号を、変調して情報端末２０に対して送信してもよいし、検知信号をデジタル信号に変換して情報端末２０に対して送信してもよい。なお、これらの検知信号を取得し、送信する処理は、電源オフや処理終了の割り込みが行なわれるまで、繰り返し行なわれる。
【００５５】
次に、情報端末２０の動作の一例について図２のフローチャートに基づいて説明する。
（ステップＳ２０１）検知信号受付部２０２は、検知信号を受信したか否かを判定する。受信した場合、ステップＳ２０２へ進み、受信していない場合、ステップＳ２０４へ進む。
（ステップＳ２０２）蓄積部２０３は、計時部２０４から、時間情報を取得する。
【００５６】
（ステップＳ２０３）蓄積部２０３は、ステップＳ２０１において取得した検知信号をステップＳ２０２において取得した時間情報と対応付けて、メモリ等に蓄積する。例えば、蓄積部２０３は、検知信号と時間情報とを同じレコードのデータとして蓄積し、管理する。そして、ステップＳ２０１に戻る。
【００５７】
（ステップＳ２０４）事象情報受付部２０１は、事象情報を受け付けたか否かを判定する。受け付けた場合、ステップＳ２０５に進み、受け付けていない場合、ステップＳ２０７に進む。
（ステップＳ２０５）蓄積部２０３は、計時部２０４から、時間の情報である時間情報、例えば時刻、を取得する。
【００５８】
（ステップＳ２０６）蓄積部２０３は、ステップＳ２０４において取得した事象情報を、ステップＳ２０２において取得した時間情報と対応付けて、メモリ等に蓄積する。例えば、蓄積部２０３は、事象情報と時間情報とを、一のレコードを構成する属性値として、蓄積部２０３内に存在するデータベース等に蓄積し管理してもよい。そして、ステップＳ２０１に戻る。
【００５９】
（ステップＳ２０７）制御指示受付部２０６は、測定装置１０を制御するための制御指示を受け付けたか否かを判定する。受け付けた場合、ステップＳ２０８に進み、受け付けていない場合、ステップＳ２０９に進む。
【００６０】
（ステップＳ２０８）送信部２０７は、ステップＳ２０７において受け付けた制御指示に対応した制御信号を、図示しないメモリ等から取得し、測定装置１０に送信する。そして、ステップＳ２０１に戻る。
【００６１】
（ステップＳ２０９）出力部２０５は、蓄積部２０３に蓄積された情報を出力するか否かを判定する。出力部２０５が、蓄積部２０３に蓄積された情報をどのようなタイミングやトリガーに基づいて出力することを決定するかは問わない。例えば、出力部２０５は、制御指示受付部２０６や、図示しない受付部や、他の情報端末１０内の他の処理部等から、蓄積された情報を出力する指示を受け付けた場合に、出力することを決定してもよい。また、出力部２０５は、定期的に、蓄積された情報を出力することを決定してもよい。蓄積部２０３に蓄積された情報を出力すると判定した場合、ステップＳ２１０に進み、出力しないと判定した場合、ステップＳ２０１へ戻る。
【００６２】
（ステップＳ２１０）出力部２０５は、蓄積部２０３に蓄積された情報を出力する。そして、ステップＳ２０１に戻る。
【００６３】
なお、ステップＳ２０１からステップＳ２０３の処理と、ステップＳ２０４からステップＳ２０６の処理との、処理順序を入れ替えてもよい。
【００６４】
また、検知信号や事象情報を時間情報とともに蓄積しなくても、検知信号や事象情報を取得した時間の情報を取得できる場合、例えば、検知信号の数をカウントすることで時間を推定できる場合等、ステップＳ２０２や、ステップＳ２０５の処理は省略してもよい。
さらに、図２のフローチャートにおいて、電源オフや処理終了の割り込みにより処理は終了する。
【００６５】
次に、情報処理装置３０の動作について説明する。
受付部３０１が事象情報および検知情報を受け付けたか否かを判定する。そして、受け付けた場合には、処理部３０２は、受け付けた事象情報および検知信号に対して所定の処理を行ない、処理結果を得る。そして、この処理結果を、処理結果出力部３０３は、出力する。そして、再度検知信号を受信したか否かの判定処理に戻る。一方、受付部３０１が検知信号を受け付けていない場合、上述した検知信号を受信したか否かの判定の処理に戻る。なお、これらの処理は、電源オフや処理終了の割り込みが行なわれるまで、繰り返し行なわれる。
【００６６】
次に、本実施の形態にかかる測定システムの動作の具体例について説明する。測定システムの概念図は図３である。ここでは、例として、測定システムが、人間の排尿機能について測定するシステムである場合について説明する。測定装置１０は、人間の膀胱内の膀胱内圧を測定する装置であり、人間の膀胱内に配置されるものとする。情報端末２０は、被験者の、行動や、尿意等を記録するための用いられるものとする。情報端末２０は、事象情報を入力するための、複数のボタンを有している。それぞれのボタン上には、被験者が入力する内容を示す文字が表記されている。被験者が、ボタンを押すと、押した内容が、確認のため、ディスプレイ６０上に表示されるものとする。測定装置１０と情報端末２０とは無線による情報の送受信が可能であるとする。また、情報端末２０と、情報処理装置３０とは、無線による情報の送受信が可能であるとする。なお、ここでは、測定装置１０や、情報端末２０、情報処理装置３０の大きさの比等は、説明のため、実際の大きさの比とは異なるものとする。
【００６７】
図４は、本具体例における測定装置１０のハードウェア構成を示す図であり、図３に示した測定装置１０のＩＶ−ＩＶ線による断面図である。測定装置１０の、センサー部１０１の信号取得手段１０１２と、信号出力部１０２と、電源供給部１０３と、受信部１０４と、制御部１０５とが、角の丸い円筒形の容器１０６内に、密封されている。センサー部１０１の受付手段１０１１は、容器１０６の下部において外部に露出しており、膀胱内の圧力を検知できるような圧力センサーが用いられている。容器１０６の直径は４〜８ｍｍで、高さは８〜１７ｍｍである。電源供給部１０３は例えば電池である。容器１０６の材質は、医療用に利用可能なポリマー等である。
【００６８】
容器１０６は、下部に、外部に露出している受付手段１０１１を保護するための、折れ曲がった帯状形状のプロテクター１０７を有する。また、プロテクター１０７には、測定装置１０を体内から体外へ引き出すための、ナイロン糸等の線状の部材である線状部材１０８が設けられている。
【００６９】
図５は、膀胱内に配置された測定装置を説明するための図である。図５は、人体５０の膀胱５１近傍の断面を示している。図に示すように、測定装置１０は、膀胱５１内に配置されている。ここでは、測定装置１０の比重が尿よりも軽く、測定装置１０が膀胱５１の尿５２内に浮遊しているものとする。また、重心が、センサー部１０１の設けられた下部に位置しており、測定装置１０は、膀胱５１内においては、常に、センサー部１０１を下にした状態で、尿５２内に浮遊しているものとする。測定装置１０は、測定装置１０の下部において露出したセンサー部１０１の受付手段１０１１において、尿５１を介して伝達される膀胱の内圧を受け付ける。なお、図においては、説明の便宜上、測定装置１０および人体等の、縮尺や、縦横比等は、実際とは異なる場合がある。かかることは、他の図においても同様である。
【００７０】
まず、試験者が、図５に示すように、膀胱５１内に、測定装置１０を配置した後、情報端末２０のメニュー等を操作して、測定装置１０の電源をオンさせるための制御指示を制御指示受付部２０６与える。情報端末２０の送信部２０７は、この制御指示に基づいて、測定装置１０に、電源のオンを指示する制御信号を送信する。
【００７１】
測定装置１０の受信部１０４と制御部１０５とは、通常は、信号の受信処理等が可能な程度の微弱な待機電源で動作している。情報端末２０の送信部２０７から送信される電源オンの制御信号を受信すると、制御部１０５は、電源供給部１０３から、センサー部１０１および信号出力部１０２に主となる電源が供給されるように、電源供給部１０３を制御する。
【００７２】
センサー部１０１の信号取得手段１０１２は、電源が供給されると、受付手段１０１１の受け付けた物理量を、電気信号に変換した信号である検知信号を所定のタイミングで、ここでは例として定期的に、取得する。受付手段１０１１は、尿と接しているため、膀胱内圧が高くなると、尿を介して圧力が受付手段１０１１に伝わり、受付手段１０１１が、圧力が高くなったことを受け付ける。また、同様に、膀胱内圧が低くなると、受付手段１０１１が、圧力が低くなったことを受け付ける。信号取得手段１０１２は、この受付手段１０１１が受け付けた圧力に対応した検知信号を順次取得する。なお、検知信号を信号取得手段１０１２内に設けられたアンプ回路によって増幅するようにしても良い。
【００７３】
信号出力部１０２は、信号取得手段１０１２が取得した検知信号を、所定のタイミングでサンプリングして、信号出力部１０２内のＡＤ変換回路（図示せず）によりデジタル信号に変換して、変換した検知信号を情報端末２０に無線により送信する。信号出力部１０２は、ここでは、検知信号ごとに、デジタル信号に変換し、変換した検知信号を、情報端末２０へ順次送信するようにしているが、複数個のデジタル化した検知信号をパケット化して送信しても良い。信号出力部１０２のサンプリングの回数は、測定結果の正確さや、電源供給部１０３が供給可能な電源を考慮すると、毎秒１０回前後であることが好ましい。膀胱内圧の測定においては、排尿障害等を診断するためには、７２時間程度の膀胱内圧の測定データが通常要求される。測定装置１０が毎秒１０回の検知信号を７２時間出力する場合、電源供給部１０３は、例えば、直径が約２ｍｍで、高さが約５ｍｍである円筒形のリチウム電池を利用すれば、実現可能である。
【００７４】
情報端末２０は、測定装置１０からの検知信号を受信すると、蓄積部２０３は、現在の時間情報を計時部２０４から取得し、受信した検知信号と取得した時間情報とを対応付けて、情報端末２０内のメモリ等に蓄積する。情報端末２０は、この処理を、検知信号を受信するごとに繰り返す。
【００７５】
ここで、例えば被験者が強い尿意を感じ、情報端末２０の１つのボタン、例えば「尿意（強）」というボタンを押すと、「尿意（強）」というボタンが押されたことを示すイベントが出力され、事象情報受付部２０１は、「尿意（強）」というボタンに対応した事象情報を受け付ける。そして、蓄積部２０３は、現在の時間情報を計時部２０４から取得し、受け付けた事象情報と取得した時間情報とを対応付けて、情報端末２０内のメモリ等に蓄積する。このとき、図６に示すように、情報端末２０のディスプレイ６０には、確認のため、受け付けた事象情報に対応した文字のメッセージ「強い尿意があります。」と、現在までの経過時間とが表示される。情報端末２０は、この処理を、被験者がボタンを押すごとに繰り返す。
【００７６】
図７は、蓄積部２０３がメモリ等に蓄積した検知信号と事象情報とを管理するための管理表を示す図である。この管理表は、「時間」、「検知信号」、「事象情報」という属性を有している。「時間」は、蓄積部２０３が取得した時間情報であり、左２桁は、「時」を表し、次の２桁は「分」を表し、右３桁は、「秒」を１０分の１秒単位で表している。ここでは、測定開始、すなわち測定装置１０の電源がオンされてからの経過時間であるとする。「検知信号」は、検知信号受付部２０２が受け付けた検知信号の値であり、ここでは、測定装置１０が検知した圧力に対応した値である。「事象情報」は、事象情報受付部２０１が受け付けた事象情報名である。なお、ここで示している各値は、説明のためのものであり、実測値とは異なる。なお、図７においては、「事象情報」の属性値として事象情報名を蓄積するようにしたが、予め事象情報について事象情報名等とそのＩＤとを管理する事象情報管理表等を用意しておき、このＩＤを、図７の管理表の「事象情報」の属性値として利用してもよい。
【００７７】
次に、所定の時間の検査が終了したとして、試験者が、情報端末２０を回収し、情報処理装置３０の近くにおいて、情報端末２０のボタンを操作して蓄積部２０３が蓄積した検知信号と事象情報とを送信する指示を入力すると、ここでは、制御指示受付部２０６が、蓄積部２０３が蓄積した検知信号と事象情報とを送信する指示を受け付ける。出力部２０５は、制御指示受付部２０６が、検知信号と事象情報とを送信する指示を受け付けたことをトリガーとして、蓄積部２０３に蓄積されている図７に示すような情報を、情報処理装置３０に送信する。
【００７８】
情報処理装置３０の受付部３０１は、情報端末２０から送信される図７に示すような情報を受け付ける。情報処理装置３０の処理部３０２は、この受付部３０１が受け付けた検知信号と、事象情報等を読み出し、所定の処理、ここでは、例としてこれらの情報からグラフを表示するためのデータを構成する処理を行なう。なお、このとき、情報処理装置３０の受付部３０１が受け付けた検知信号の値を、実際の圧力を示す値に変換する。そして、出力部２０５は、この処理部３０２が処理した結果として得られるデータ、ここでは、グラフを表示するためのデータをディスプレイ等に表示する。このようなデータの表示例は、例えば、図８に示すようになる。図８において、縦軸は、膀胱内圧を示しており、単位は、１ｃｍＨ２Ｏ＝９８．０６６５Ｐａである。また、横軸の上部は、測定開始からの経過時間を示しており、点線で示す位置より左側の単位は分であり、右側の単位は秒である。膀胱内圧は、折れ線グラフで表される。また、事象情報は、折れ線グラフの下方において、事象情報が入力された時間に対応した位置に表示される。なお、ここでは、説明の便宜上、図８に表示したデータとして、図７に示したデータとは異なるデータを用いている。
【００７９】
体内に配置された測定装置１０については、体外に出ている線状部材１０８を引っ張ることで、体外に容易に排出させることができる。
【００８０】
なお、ここでは、情報端末２０に計時部２０４を設けるようにし、各検知信号を受信した際の時間情報や、各事象情報を受け付けた際の時間情報を、蓄積部２０３が当該計時部２０４から順次取得して、これらを、検知信号が受信された時間や、事象情報を受け付けた時間として用いるようにしたが、検知信号が測定装置１０から予め設定されているタイミングで繰り返し出力される場合、情報端末２０において、受信した検知信号の数を順次カウントし、そのカウント数と、予め設定されている測定装置１０が検知信号を送信する送信間隔の情報とに基づいて、各検知信号を受信した受信時間を算出してもよい。また、この場合、蓄積部２０３が、事象情報受付部２０１が受け付けた事象情報を、事象情報とほぼ同時に受信した検出信号と対応付けて蓄積することで、事象情報を受け付けた時間も算出することができる。
【００８１】
また、上記の具体例においては、情報端末２０については、誤操作を防ぐことができるように、複数のボタンを所定の順番で押した場合にのみ、事象情報等の入力が行なわれるようにすることが好ましい。例えば、データの入力の開始を指示するための「記入ボタン」、入力したい事象の具体的な項目を示す「項目ボタン」、入力内容を確認する「確認ボタン」をこの順番通りに押した場合に、「項目ボタン」に対応した事象情報の入力が行なわれるようにする。
【００８２】
以上、本実施の形態によれば、情報端末２０の事象情報受付部２０１において、事象情報の入力を受け付け、蓄積部２０３が、この事象情報を蓄積するようにしたので、例えば被験者等が、行動や症状等の事象情報の入力を手軽にかつ容易に行なえるようにして、入力忘れや入力ミス等をなくすことができ、生体についてのより正確な情報を取得することが可能となる。
【００８３】
また、情報端末２０においては、特に、ボタンにより事象情報を入力できるようにしたことにより、入力が必要なときに、場所や体勢を問わずに手軽に入力が可能となり、事象情報の記録を保留すること等によって起こりうる事象情報の記録忘れを防ぐことができる。また、入力したい項目に対応したボタンを押すことにより事象情報を入力できるようにしたことにより、入力のための熟練等が不要となり、容易に事象情報の入力が可能となる。
【００８４】
また、事象情報が、データとして入力されるため、情報処理装置３０において、処理を行なう際に、再度事象情報をデータ入力したりする手間をなくすことができる。
【００８５】
また、情報端末２０の検知信号受付部２０２が、測定装置１０の検知信号を受け付けて、受け付けた検知信号を蓄積部２０３が蓄積するようにしたことにより、情報端末２０を測定装置１０とともに移動させることにより、測定装置１０の位置を自由に変更可能となる。このため、例えば、情報端末２０を所持していれば、被験者は、体内に測定装置１０を配置した状態で、被験者は自由に場所を移動することが可能となる。この結果、日常生活とほぼ同じ生活を送っている無拘束な状態での被験者の生体内の検知信号や事象情報を取得することができ、ストレス等の影響の少ない、より正確な情報を得ることができる。例えば、ストレスがある場合には、排尿筋等が緊張によりストレスの少ない日常生活を送っている状態とは異なる動きをしてしまい、正確な情報を取得することができなくなってしまうが、この実施の形態においてはこのような課題を解消できる。
【００８６】
また、１つの情報端末２０で、事象情報と検知信号との両方を蓄積することができるため、被験者は１つの情報端末２０だけを所持すればよく、機器の取り扱いが容易となる。また、事象情報と検知信号との対応付けが容易となり、データの処理にかかる時間や労力を削減できる。
【００８７】
なお、上記実施の形態においては、測定装置１０が膀胱内圧を測定するための測定装置である場合について説明したが、本発明においては、測定装置１０はどのような用途の測定装置であっても良い。また、測定装置１０のセンサー部１０１は、圧力に限らず、どのような物理量を受け付けても良い。また、ハードウェアの構造や、大きさ、形状等も適宜変更可能である。また、測定装置１０を生体内以外に配置するようにしてもよい。かかることは、他の実施の形態においても同様である。
【００８８】
また、本実施の形態においては、測定装置１０が１つである場合について説明したが、本発明においては、測定装置１０が複数であっても良い。この場合、各測定装置１０の用途や構造等は問わない。例えば、上述したような膀胱内圧測定用の測定装置１０に加えて、尿流量を測定するための測定装置１０や直腸内圧を測定するための測定装置１０等をさらに備えるようにしても良い。この場合、各測定装置１０から送信される検知信号を情報端末２０において分離して蓄積できるようにする必要がある。このためには、例えば、各測定装置１０と検知信号受付部２０２との通信をそれぞれ異なるチャンネルで行なうようにしてもよい。また、各測定装置１０が出力する検知信号に各測定装置を識別する識別情報を付加するようにし、情報端末２０の蓄積部２０３等において、検知信号に付加された識別情報に基づいて、検知信号がどの測定装置１０から送信された検知信号であるか判定し、判定結果に基づいて、検知信号を各測定装置１０別に分別して蓄積するようにしても良い。かかることは、他の実施の形態においても同様である。
【００８９】
また、本実施の形態においては、例えば、図９に示すように、情報端末２０の蓄積部２０３が事象情報や検知信号を着脱可能なフラッシュＲＯＭ等の記録媒体９０１、例えば、いわゆるメモリカード等に記録するようにしてもよい。そして、蓄積された事象情報や検知信号等を情報処理装置３０等において処理する際には、この記録媒体９０１を情報端末２０から取り外して、この記録媒体９０１に格納されている情報を情報処理装置３０に設けたメモリカードリーダ等の記録媒体の情報を読み出すデバイスを用いて読み出すことで、情報端末２０が蓄積した事象情報や検知信号を受付部３０１が受け付けるようにしてもよい。このような構成とすることにより、出力部２０５や、情報端末２０と情報処理装置３０との間で通信を行なうための構成等を省略することができる。なお、図９において、図１と同一符号は同一または相当する部分を示している。かかることは、他の実施の形態においても同様である。
【００９０】
なお、本実施の形態においては、測定装置１０の電源のオン等の制御を行うようにしたが、制御が不要であれば、このような制御に必要な構成、例えば、受信部１０４、制御部１０５、制御指示受付部２０６、送信部２０７等の構成は省略してもよい。かかることは、他の実施の形態においても同様である。
【００９１】
なお、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における測定システムの情報端末を実現するソフトウェアは、以下のようなプログラムである。つまり、このプログラムは、コンピュータに、生体の事象に関する情報である事象情報の入力を受け付ける事象情報受付ステップと、生体内または外における測定の対象となる物理量に対応した信号である検知信号を受け付ける検知信号受付ステップと、前記検知信号と事象情報とを蓄積する蓄積ステップとを実行させるためのプログラムである。
【００９２】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。かかることは他の実施の形態においても同様である。
【００９３】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。かかることは他の実施の形態においても同様である。
【００９４】
また、このプログラムを実行するコンピュータは、単数であってもよく、複数であってもよい。すなわち、集中処理を行ってもよく、あるいは分散処理を行ってもよい。かかることは他の実施の形態においても同様である。
【００９５】
（実施の形態２）
本実施の形態２にかかる発明は、上記実施の形態１にかかる発明において、測定装置が検知信号を、また、情報端末が事象情報を、それぞれ情報処理装置に対して出力するようにしたものである。
【００９６】
図１０は、本実施の形態における測定システムのブロック図である。
測定システムは、測定装置１０、情報端末２１、および情報処理装置３１を具備する。測定装置１０と情報処理装置３１との間、情報端末２１と情報処理装置３１との間においては、無線や有線の通信による情報の送信や受信が可能である。各装置は、例えば、ブルートゥース（登録商標）等の無線通信や、ＬＡＮ等で相互に接続されている。各装置は、ＵＳＢやＩＥＥＥ１３９４等のバスで接続されてもよいし、光ファイバ等で接続されてもよい。ただし、情報の送受信の手段は、通信手段でも、放送手段等でも良い。なお、測定装置１０と情報処理装置３１との間、情報端末２１と情報処理装置３１との間において、通信による情報の送受信の代わりに、着脱可能なメモリ等を介した情報の受け渡しが可能であってもよい。なお、ここでは、説明を簡略化するために、測定装置１０が１つである場合について説明するが、測定装置１０は複数であっても良い。
【００９７】
測定装置１０の構成については、上記実施の形態１と同様であるので、説明は省略する。
【００９８】
情報端末２１は、事象情報受付部２０１、事象情報出力部２１０、および電源供給部２０８を具備する。
【００９９】
事象情報受付部２０１および電源供給部２０８の構成については、上記実施の形態１と同様であるので、説明は省略する。
【０１００】
事象情報出力部２１０は、事象情報受付部２０１が受け付けた事象情報を出力する。事象情報出力部２１０は、例えば、事象情報を、ネットワークや、バス等を介して、有線や無線の通信により情報処理装置３１に送信する。事象情報出力部２１０が事象情報を出力するタイミングやトリガー等は問わない。例えば、事象情報出力部２１０は、図示しない受付部等から事象情報を出力する指示を受け付けた場合に、事象情報を出力してもよい。また、情報端末２１と情報処理装置３１とがＵＳＢ等のバスにより接続されことをトリガーとして、出力部２０５が事象情報を出力してもよい。出力部２０５は、ディスプレイや、プリンター、無線や有線の通信手段等の出力デバイスを含むと考えても含まないと考えても良い。出力部２０５は、出力デバイスのドライバーソフトまたは、出力デバイスのドライバーソフトと出力デバイス等で実現され得る。なお、事象情報出力部２１０は、検知信号を、情報端末２１内に設けられた着脱可能な不揮発性のメモリ等の記憶媒体（図示せず）に対して出力して、事象情報を記憶媒体に蓄積するようにしても良い。出力とは、ディスプレイへの表示、プリンタへの印字、外部の装置への送信、記憶媒体等への蓄積等を含む概念である。事象情報出力部２１０は、事象情報や検知信号を無線により送信する際に利用するアンテナ等（図示せず）を有していても良い。
【０１０１】
情報処理装置３１は、受付部３１１、処理部３１２、処理結果出力部３１３、蓄積部３１４、計時部３１５、送信部３１７、制御指示受付部３１６、および送信部３１７を具備する。
【０１０２】
受付部３１１、処理部３１２、および処理結果出力部３１３の構成については、上記実施の形態１の受付部３０１、処理部３０２、および処理結果出力部３０３と同様であるので説明は省略する。ただし、受付部３１１は、検知信号と事象情報とを別々に受け付けるものとする。例えば、受付部３１１は、測定装置１０からは、無線あるいは有線の通信手段を介して送信される検知信号を受信する。また、情報端末２１からは、無線あるいは有線の通信手段を介して送信される事象情報を受信する。また、測定装置１０が検知信号を、情報端末２１が事象情報を、それぞれ、着脱可能なメモリ等の記憶媒体に記憶している場合、測定装置１０および情報端末２１からそれぞれ取りはずされたメモリ等の記憶媒体に記憶されている検知信号を、受付部３１１がメモリ専用のリーダー等を用いて読み出してもよい。また、処理部３１２は、蓄積部３１４が蓄積した検知信号および事象情報を処理するものとする。
【０１０３】
蓄積部３１４は、事象情報と検知信号とを蓄積する。具体的には、蓄積部３１４は、受付部３１１が受け付けた事象情報、および検知信号受付部２０２が受け付けた検知信号を蓄積する。また、ここでは、例として、受付部３１１が検知信号を受け付けた時間および受付部３１１が事象情報を受け付けた時間の情報を、蓄積部３１４が後述する計時部３１５等から取得し、蓄積部３１４が検知信号および事象情報とともに蓄積するものとする。なお、検知信号が一定のパターンで、測定装置１０から送信されてくる場合、各検知信号が取得された時間は、検知信号間の時間間隔と、検知信号数のカウント結果とを用いて、各検知信号が取得された時間を算出することが可能である。この場合、蓄積部３１４は、例えば、事象情報を受け付けたタイミングとほぼ同じタイミングで受信した検知信号を、当該事象情報と関連付けて蓄積すればよい。このようにすることで、検知信号が取得された時間から、事象情報を受け付けた時間を取得することが可能である。また、例えば、測定装置１０が、計時部３１５と同様の計時部（図示せず）等を有し、この計時部等から取得した各検知信号を取得した時間を示す情報を、各検知信号に付加して送信してくる場合、この時間を示す情報も、蓄積部３１４が蓄積してもよい。また、例えば、情報端末２１が、計時部３１５と同様の計時部（図示せず）等を有し、この計時部等から取得した各事象情報を取得した時間を示す情報を、各事象情報に付加して送信してくる場合、この時間を示す情報も、蓄積部３１４が蓄積してもよい。蓄積部３１４は、事象情報と検知信号とを、図示しないメモリやハードディスク等の、記憶媒体等に記憶する。蓄積部３１４自身が、これらの記憶媒体を有していてもいなくてもよい。また、記憶媒体は、不揮発性の記憶媒体であっても良いし、揮発性の記憶媒体であっても良い。なお、ここで述べる「蓄積」とは、信号や情報の受信、処理等を行なう際の、メモリ等の記憶媒体に対する、データの一時的な記憶も含む概念である。
【０１０４】
計時部３１５、制御指示受付部３１６、送信部３１７の構成については、上記実施の形態１において説明した計時部２０４、制御指示受付部２０６、および送信部２０７と同様であるので、説明は省略する。
【０１０５】
次に、本実施の形態にかかる測定システムの動作について説明する。
測定装置１０の動作については、上記実施の形態１と同様であるので説明は省略する。
【０１０６】
次に、情報端末２１の動作について説明する。事象情報受付部２０１は、事象情報を受け付けたか否かを判定する。そして、受け付けていない場合、この判定処理を繰り返す。受け付けた場合、事象情報出力部２１０が、受け付けた事象情報を出力する。そして、再び、上述した事象情報を受け付けたか否かの判断を行なう。なお、これらの処理は、電源オフや処理終了の割り込みにより終了する。
【０１０７】
次に、情報処理装置３１の動作について、図１１のフローチャートを用いて説明する。
（ステップＳ１１０１）受付部３１１は、検知信号を受け付けたか否かを判定する。受け付けた場合、ステップＳ１１０２へ進み、受け付けていない場合、ステップＳ１１０４へ進む。
（ステップＳ１１０２）蓄積部３１４は、計時部３１５から、時間情報を取得する。
【０１０８】
（ステップＳ１１０３）蓄積部３１４は、ステップＳ１１０１において取得した検知信号をステップＳ１１０２において取得した時間情報と対応付けて、メモリ等に蓄積する。例えば、蓄積部３１４は、検知信号と時間情報とを同じレコードのデータとして蓄積し、管理する。そして、ステップＳ１１０１に戻る。
【０１０９】
（ステップＳ１１０４）受付部３１１は、事象情報を受け付けたか否かを判定する。受け付けた場合、ステップＳ１１０５に進み、受け付けていない場合、ステップＳ１１０７に進む。
（ステップＳ１１０５）蓄積部３１４は、計時部３１５から、時間の情報である時間情報を取得する。
【０１１０】
（ステップＳ１１０６）蓄積部３１４は、ステップＳ１１０４において取得した事象情報を、ステップＳ１１０２において取得した時間情報と対応付けて、メモリ等に蓄積する。例えば、蓄積部３１４は、事象情報と時間情報とを同じレコードのデータとして蓄積し、管理する。そして、ステップＳ１１０１に戻る。
【０１１１】
（ステップＳ１１０７）制御指示受付部３１６は、測定装置１０を制御するための制御指示を受け付けたか否かを判定する。受け付けた場合、ステップＳ１１０８に進み、受け付けていない場合、ステップＳ１１０９に進む。
【０１１２】
（ステップＳ１１０８）送信部３１７は、ステップＳ１１０７において受け付けた制御指示に対応した制御信号を、図示しないメモリ等から取得し、測定装置１０に送信する。そして、ステップＳ１１０１に戻る。
【０１１３】
（ステップＳ１１０９）処理部３１２は、蓄積部３１４に蓄積された情報に対して所定の処理を行なうか否かを判定する。処理部３１２が、蓄積部３１４に蓄積された情報をどのようなタイミングやトリガーに基づいて処理することを決定するかは問わない。例えば、処理部３１２は、制御指示受付部３１６や、図示しない受付部や、他の情報処理装置３１内の他の処理部等から、蓄積された情報を処理する指示を受け付けた場合に、処理を行なうことを決定してもよい。また、処理部３１２は、定期的に、蓄積された情報を処理することを決定してもよい。また、処理部３１２は、蓄積部３１４に蓄積された情報に対して実行される所定の処理を、どのように決定してもよい。例えば、処理部３１２は、制御指示受付部３１６や、図示しない受付部や、他の情報処理装置３１内の他の処理部等から指定された処理を、蓄積された情報に対して行なうことを決定してもよい。また、どのような処理を行なうかを決定せずに、予め設定されている処理を実行してもよい。蓄積部３１４に蓄積された情報を処理すると判定した場合、ステップＳ１１１０に進み、処理しないと判定した場合、ステップＳ１１０１へ戻る。
（ステップＳ１１１０）処理部３１２は、蓄積部３１４に蓄積された情報に対して所定の処理を行なう。
【０１１４】
（ステップＳ１１１１）処理結果出力部３１３は、ステップＳ１１１０の処理の結果を出力する。そして、ステップＳ１１０１に戻る。
なお、図１１のフローチャートにおいて、電源オフや処理終了の割り込みにより処理は終了する。
【０１１５】
次に、本実施の形態にかかる測定システムの動作の具体例について説明する。本実施の形態の測定システムの概念図を図１２に示す。
【０１１６】
まず、試験者が、図５と同様に、膀胱５１内に、測定装置１０を配置した後、情報処理装置３１のメニュー等を操作して、測定装置１０の電源をオンさせるための制御指示を制御指示受付部３１６に与える。情報処理装置３１の送信部３１７は、この制御指示に基づいて、測定装置１０に、電源のオンを指示する制御信号を送信する。
【０１１７】
測定装置１０は、この制御信号に基づいて、上記実施の形態１と同様に、膀胱内圧の取得を開始し、取得した検知信号を、情報処理装置３１に対して出力する。
【０１１８】
情報処理装置３１は、測定装置１０からの検知信号を受け付けると、蓄積部３１４は、現在の時間情報を計時部３１５から取得し、受信した検知信号と取得した時間情報とを対応付けて、情報処理装置３１内のメモリ等に蓄積する。情報処理装置３１は、この処理を、検知信号を受信するごとに繰り返す。
【０１１９】
ここで、被験者が、被験者の行動や自覚症状等の事象に対応した情報端末２１のボタン押すと、事象情報受付部２０１は、このボタンに対応した事象情報を受け付ける。そして、事象情報出力部２１０は受け付けた事象情報を、情報処理装置３１に対して出力する。
【０１２０】
情報処理装置３１は、情報端末２１からの事象情報を受け付けると、蓄積部３１４は、現在の時間情報を計時部３１５から取得し、受信した検知信号と取得した時間情報とを対応付けて、情報処理装置３１内のメモリ等に蓄積する。情報処理装置３１は、この処理を、検知信号を受信するごとに繰り返す。蓄積部３１４がメモリ等に蓄積した検知信号および事象情報は、図７と同様である。
【０１２１】
次に、所定の時間の検査が終了したとする。試験者は、情報処理装置３１のメニュー等を操作して、蓄積部３１４が蓄積した検知信号と事象情報とに対して所望の処理を行なう指示を入力する。処理部３１２が、この指示に従って、所望の処理、例えば、上記実施の形態１と同様にグラフを表示するためのデータを構成する処理等を行なう。そして、処理結果出力部３１３が、例えば図８に示したように、処理部３１２による処理結果をディスプレイ等に出力する。
【０１２２】
以上、本実施の形態によれば、情報端末２１の事象情報受付部２０１において、事象情報の入力を受け付け、事象情報出力部２１０が、この事象情報を出力するようにしたので、被験者が、情報端末２１を用いて行動や症状等の事象情報の入力を手軽にかつ容易に行なえるようにして、入力忘れ等をなくすことができ、生体についてのより正確な情報を取得することが可能となる。
【０１２３】
また、情報端末２１においては、特に、ボタンにより事象情報を入力できるようにしたことにより、入力が必要なときに、場所や体勢を問わずに手軽に入力が可能となり、事象情報の記録を保留すること等によって起こりうる事象情報の記録ミスや記録忘れを防ぐことができる。また、入力したい項目に対応したボタンを押すことにより事象情報を入力できるようにしたことにより、入力のための熟練等が不要となり、容易に事象情報の入力が可能となる。
【０１２４】
また、事象情報が、データとして出力されるため、情報処理装置３１において、処理を行なう際に、再度事象情報をデータ入力したりする手間をなくすことができる。
【０１２５】
また、測定装置１０が検知信号を無線により情報処理装置３１に出力し、情報端末２１が事象情報を無線により情報処理装置３１に出力するようにすることにより、情報端末２１と測定装置１０との位置を、情報処理装置３１と無線通信が可能な範囲で自由に移動させることが可能となる。これにより、例えば、情報端末２１を所持していれば、体内に測定装置１０を配置した状態で、被験者は自由に場所を移動することが可能となる。例えば、家庭内にインターネット接続された無線ＬＡＮのアクセスポイントを設けることで、家庭内において自由に行動することが可能となる。この結果、日常生活とほぼ同じ生活を送っている状態での被験者の生体内または外の検知信号を取得することができ、ストレス等の影響の少ない、より正確な情報を得ることができる。
【０１２６】
また、情報端末２１は、事象情報等を蓄積する必要がないため、情報端末２１の構成を簡略化して、情報端末２１の小型化や、軽量化を図ることができる。
【０１２７】
また、情報端末２１は、事象情報を入力する時や、受け付けた事象情報を出力する時等にだけ、電源をオンすればよいため、消費電力を削減することができる。
【０１２８】
また、情報処理装置３１に、検知信号と事象情報とが集められるため、一旦測定装置１０や情報端末２１等に蓄積された検知信号や事象情報を、情報処理装置３１において処理を行なう際に集める必要がなく、処理手順や処理にかかる手間を簡略化することができる。また、検知信号や事象情報を一元管理することができる。
【０１２９】
なお、上記各実施の形態において、各処理（各機能）は、単一の装置（システム）によって集中処理されることによって実現されてもよく、あるいは、複数の装置によって分散処理されることによって実現されてもよい。
【０１３０】
また、上記各実施の形態において、一の装置に存在する２以上の通信手段（出力部など）は、物理的に一の媒体で実現されても良いことは言うまでもない。
【０１３１】
本発明は、以上の実施の形態に限定されることなく、種々の変更が可能であり、それらも本発明の範囲内に包含されるものであることは言うまでもない。
【産業上の利用可能性】
【０１３２】
以上のように、本発明にかかる測定システム等は、測定装置からの検出信号と、被験者等の行動や症状等の事象情報とを取得する測定システム等として適しており、特に、被験者自身等が事象情報の入力を行なう測定システム等として有用である。
【図面の簡単な説明】
【０１３３】
【図１】実施の形態１における測定システムのブロック図
【図２】同動作について説明するフローチャート
【図３】同概念図
【図４】同測定装置の断面図
【図５】同測定装置を膀胱内に配置した状態を示す図
【図６】同情報端末の表示例を示す図
【図７】同検知信号と事象情報との管理表を示す図
【図８】同表示例を示す図
【図９】同変形例の構成を示す図
【図１０】実施の形態２における測定システムのブロック図
【図１１】同動作について説明するフローチャート
【図１２】同概念図
【符号の説明】
【０１３４】
１０  測定装置
２０，２１  情報端末
３０、３１  情報処理装置
１０１  センサー部
１０２  信号出力部
１０２  検知信号出力部
１０３、２０８  電源供給部
１０４  受信部
１０５  制御部
１０６  蓄積部
２０１  事象情報受付部
２０２  検知信号受付部
２０３、３１４  蓄積部
２０４、３１５  計時部
２０５  出力部
２０６、３１６  制御指示受付部
２０７、３１７  送信部
２１０  事象情報出力部
３０１、３１１  受付部
３０２、３１２  処理部
３０３、３１３  処理結果出力部
１０１１  受付手段
１０１２  信号取得手段
【図１】
2007152037.tif 000003
【図２】
2007152037.tif 000004
【図３】
2007152037.tif 000005
【図４】
2007152037.tif 000006
【図５】
2007152037.tif 000007
【図６】
2007152037.tif 000008
【図７】
2007152037.tif 000009
【図８】
2007152037.tif 000010
【図９】
2007152037.tif 000011
【図１０】
2007152037.tif 000012
【図１１】
2007152037.tif 000013
【図１２】
2007152037.tif 000014